(57)【要約】【課題】楽曲の検索により適した楽曲リストの表示を行うことができる楽曲再生装置を提供する。【解決手段】楽曲再生装置において、楽曲データを、楽曲に関する所定のカテゴリにおける各要素に区分可能に記憶するとともに、各楽曲データに関連付けられた画像を記憶する記憶手段と、前記カテゴリ中の各要素を選択項目としてリスト表示し、その際、前記カテゴリの代表画像を同時に表示する表示手段と、前記カテゴリ中の各選択項目に関するユーザの嗜好の程度を示す嗜好データを取得する取得手段と、取得手段により取得された嗜好データに基づいてユーザの嗜好程度が所定の程度にあると判断されるカテゴリ中の選択項目に関連付けられている画像を代表画像として選定する選定手段（ステップ８１、８２）と、表示手段により表示された選択項目リストから所望のものを選択するための選択手段とを設ける。【選択図】図８
2008071418.tif 000002
【特許請求の範囲】
【請求項１】
楽曲データを、楽曲に関する所定のカテゴリにおける各要素に区分可能に記憶するとともに、各楽曲データに関連付けられた画像を記憶する記憶手段と、
前記カテゴリ中の各要素を選択項目としてリスト表示し、その際、前記カテゴリの代表画像を同時に表示する表示手段と、
前記カテゴリ中の各選択項目に関するユーザの嗜好の程度を示す嗜好データを取得する取得手段と、
前記取得手段により取得された嗜好データに基づいてユーザの嗜好程度が所定の程度にあると判断される前記カテゴリ中の選択項目に関連付けられている前記画像を前記代表画像として選定する選定手段と、
前記表示手段により表示された選択項目リストから所望のものを選択するための選択手段とを具備することを特徴とする楽曲再生装置。
【請求項２】
前記取得手段は、前記カテゴリ中の各選択項目について、その選択項目に属し又はその選択項目自身である楽曲が再生された回数のカウント値を、前記嗜好データとして取得するものであることを特徴とする請求項１に記載の楽曲再生装置。
【請求項３】
前記取得手段は、前記カテゴリ中の各選択項目について、予めユーザにより設定された嗜好の程度を示す値を、前記嗜好データとして取得するものであることを特徴とする請求項１に記載の楽曲再生装置。
【請求項４】
楽曲データを、楽曲に関する所定のカテゴリにおける各要素に区分可能に記憶するとともに、各楽曲データに関連付けられた画像を記憶する記憶手段、
前記カテゴリ中の各要素を選択項目として、表示装置においてリスト表示し、その際、前記カテゴリの代表画像を同時に表示する表示手段、
前記カテゴリ中の各選択項目に関するユーザの嗜好の程度を示す嗜好データを取得し、前記記憶手段に記憶する取得手段、
前記取得手段により取得され、前記記憶手段に記憶された嗜好データに基づいてユーザの嗜好程度が所定の程度にあると判断される前記カテゴリ中の選択項目に関連付けられている前記画像を前記代表画像として選定する選定手段、及び
入力手段により入力される指令に基づき、前記表示手段により表示された選択項目リストからの選択を行う選択手段としてコンピュータを機能させることを特徴とする楽曲再生プログラム。
【請求項５】
コンピュータが、楽曲データを、楽曲に関する所定のカテゴリにおける各要素に区分可能に記憶するとともに、各楽曲データの楽曲に関連付けられた画像を記憶する記憶工程と、
コンピュータが、前記カテゴリ中の各要素を選択項目として、表示装置においてリスト表示し、その際、前記カテゴリの代表画像を同時に表示する表示工程と、
コンピュータが、前記カテゴリ中の各選択項目に関するユーザの嗜好の程度を示す嗜好データを取得し、前記記憶手段に記憶する取得工程と、
コンピュータが、前記取得工程において取得され、前記記憶工程において記憶された嗜好データに基づいてユーザの嗜好程度が所定の程度にあると判断される前記カテゴリ中の選択項目に関連付けられている前記画像を前記代表画像として選定する選定工程と、
コンピュータが、入力手段により入力される指令に基づき、前記表示工程により表示された選択項目リストからの選択を行う選択工程とを具備することを特徴とする楽曲再生方法。
【発明の詳細な説明】
【技術分野】
【０００１】
本発明は、楽曲に関する所定のカテゴリ中の各要素を選択項目としてリスト表示する際に、前記カテゴリの代表画像を同時に表示するようにした楽曲再生装置、楽曲再生プログラム、及び楽曲再生方法に関する。
【背景技術】
【０００２】
従来、ポータブル楽曲再生装置におけるユーザインタフェースを改善する技術として、所定のカテゴリの階層を辿って再生対象の検索を行うことができるようにしたものが知られている。階層を形成するカテゴリとしては、たとえば、ジャンル、アーティスト、アルバム、プレイリスト等を採用することができる。この場合たとえば、ジャンル、アーティスト、及びアルバム並びに各アルバムに含まれる楽曲はこの順で階層構造を形成することができる。ユーザはたとえば、ホーム画面において表示されるアルバム、アーティスト、ジャンル、及びプレイリストのうちのいずれかのカテゴリから始めて、下位のカテゴリへ向けて、再生対象の検索を行うことができる。
【０００３】
たとえば、ユーザはホーム画面においてアルバムのカテゴリを選択することにより、装置に記録されているアルバムのリストを表示させることができる。さらに、いずれかのアルバムを選択して、そのアルバムに含まれる楽曲のリストを表示させることができる。同様に、ホーム画面においてアーティストを選択することにより、アーティスト、アルバム及び楽曲の順で、上位から下位の階層へ向けて検索を行うことができる。ホーム画面においてジャンルを選択した場合には、ジャンル、アーティスト、アルバム、及び楽曲の順で階層を下りながら検索を行うことができる。プレイリストを選択した場合には、ユーザが予めプレイリストに登録したアルバムや楽曲を検索することができる。
【０００４】
一方、楽曲の再生中に、その楽曲のアルバムジャケットの画像や、その楽曲のジャンルに関連したイメージ画像を表示するようにした楽曲再生装置も知られている（たとえば特許文献１参照）。
【０００５】
図９はさらに別の従来技術に係る楽曲再生装置における楽曲リストの表示画面を示す。この楽曲リストの表示は楽曲の選択用メニューとして用いられる。この楽曲リストの表示は、あるアルバムが選択された場合に、その下位の画面として、そのアルバムに含まれる楽曲について行われる。この楽曲再生装置では、上述のユーザインタフェースを改善する技術におけるのと同様のカテゴリによる階層構造に従った検索を可能としている。また、楽曲リスト中の各楽曲にはその楽曲が属するアルバムのジャケット画像が関連付けられており、楽曲リストの表示に際しては、各楽曲の名称の表示に付随させて、その楽曲に関連付けられた画像が表示される。
【０００６】
すなわち、図９に示す楽曲リストの表示画面８０では、最上部のアルバム表示欄８１において、選択されたアルバムの名称である「アルバムＡ」が表示されている。その下の、各楽曲の表示欄８２では、アルバムＡに含まれる各楽曲の名称として「楽曲１」、「楽曲２」・・・が表示されている。また、各楽曲名の表示に付随させて、各楽曲に関連付けられたアルバムジャケットの画像８３が併せて表示されている。基本的には、同一アルバムに含まれる各楽曲に対しては、同一のジャケット画像が関連付けられる。ただし、異なる画像が関連付けられる場合もある。
【０００７】
楽曲リストにおける選択中の楽曲についての表示欄８２ａ、すなわちカーソルが位置する表示欄８２ａでは、選択中であることがわかるように、画像の表示が拡大され、他の表示欄８２とは異なる配色の文字で情報の表示が行われる。拡大された表示欄８２ａには楽曲名称に加え、アーティストの名称「アーティストα」や演奏時間「３：３８」の情報が追加的に表示される。選択中の楽曲については、所定のユーザ操作がなされた場合、再生が開始されることになる。
【０００８】
【特許文献１】特開２００６−２１６２０１号公報
【発明の開示】
【発明が解決しようとする課題】
【０００９】
しかしながら、上述図９の従来例によれば、各楽曲の表示欄８２や８２ａにおいて、同一のジャケット画像が繰り返し表示されているので、観た感じとして、煩わしい印象を与える。また、ジャケット画像が明るい配色のものである場合には、相対的に、文字情報が見え難くなり、各楽曲についての情報の視認性が低下する場合がある。さらに、楽曲の選択のためにカーソルを移動させるとき、移動速度を大きくしようとしても、画像の表示を書き換えるための負荷により、移動速度がスムーズに上がらないという問題もある。
【００１０】
本発明の目的は、このような従来技術の問題点に鑑み、楽曲の検索により適した楽曲リストの表示を行うことができる楽曲再生装置を提供することにある。
【課題を解決するための手段】
【００１１】
上記目的を達成するために、第１の発明に係る楽曲再生装置は、楽曲データを、楽曲に関する所定のカテゴリにおける各要素に区分可能に記憶するとともに、各楽曲データに関連付けられた画像を記憶する記憶手段と、前記カテゴリの各要素を選択項目としてリスト表示し、その際、前記カテゴリの代表画像を同時に表示する表示手段と、前記カテゴリの各選択項目に関するユーザの嗜好の程度を示す嗜好データを取得する嗜好データ取得手段と、前記嗜好データ取得手段により取得された嗜好データに基づき、ユーザの嗜好程度が所定の程度にあると判断される前記カテゴリ中の選択項目に関連付けられている前記画像を前記代表画像として選定する選定手段と、前記表示手段により表示された選択項目のリストから所望のものを選択するための選択手段とを具備することを特徴とする。
【００１２】
ここで、楽曲再生装置としては、たとえばハードディスクを内蔵した携帯型の楽曲再生装置が該当する。所定のカテゴリとしては、たとえば、アーティストや、アルバム、ジャンル、プレイリストが該当する。アルバムカテゴリの下位のカテゴリとしての、楽曲のカテゴリも該当する。カテゴリの要素としては、ジャンルのカテゴリにおけるジャズやクラシックが該当する。各カテゴリは階層構造を有していてもよい。たとえばジャンル、アーティスト、アルバム、及び楽曲の順で階層が下がる階層構造を有し、この順で、各カテゴリ中の選択項目を選択しながら階層を下り、検索してゆくことができるようになっていてもよい。あるカテゴリに含まれる各要素を選択項目としてリスト表示する際には、たとえば各要素の名称が選択項目としてリスト表示される。たとえば、ジャンルのカテゴリの場合、「ジャズ」、「クラシック」、「ロック」等のジャンル名が選択項目としてリスト表示される。
【００１３】
この構成において、楽曲に関する所定のカテゴリの各要素を選択項目としてリスト表示する際には、そのカテゴリの代表画像が併せて表示される。代表画像としては、各選択項目に関するユーザの嗜好の程度を示す嗜好データに基づき、嗜好の程度が所定の程度であると判断される選択項目に関連付けられた画像が選定される。たとえば、所定のカテゴリがアーティストのカテゴリである場合、各アーティストに関する嗜好データに基づいてユーザが最も好むと判断されるアーティストに関連付けられた画像が選定される。そのようなアーティストに関連付けられた画像としては、そのアーティストの下位に位置するアルバムカテゴリの代表画像を採用することができる。ユーザは、このようにして代表画像が表示された選択項目リストから所望のものを選択することができる。カテゴリが階層構造を有している場合には、選択された項目についての下位のカテゴリに関する選択項目のリストが表示されるので、階層を下りながら検索を行ってゆくことができる。ユーザは表示された選択項目リストから所望のものを選択することができる。いずれかの項目を選択した後、所定の操作を行うことにより、選択した項目に含まれる楽曲を再生させることができる。
【００１４】
第２の発明に係る楽曲再生装置は、第１発明において、前記取得手段は、前記カテゴリ中の各選択項目について、その選択項目に属し又はその選択項目自身である楽曲が再生された回数のカウント値を、前記嗜好データとして取得するものであることを特徴とする。
【００１５】
第３の発明に係る楽曲再生装置は、第１発明において、前記取得手段は、前記カテゴリ中の各選択項目について、予めユーザにより設定された嗜好の程度を示す値を、前記嗜好データとして取得するものであることを特徴とする。
【００１６】
第４の発明に係る楽曲再生プログラムは、楽曲データを、楽曲に関する所定のカテゴリにおける各要素に区分可能に記憶するとともに、各楽曲データの楽曲に関連付けられた画像を記憶する記憶手段、前記カテゴリ中の各要素を選択項目として、表示装置においてリスト表示し、その際、前記カテゴリの代表画像を同時に表示する表示手段、前記カテゴリ中の各選択項目に関するユーザの嗜好の程度を示す嗜好データを取得し、前記記憶手段に記憶する取得手段、前記取得手段により取得され、前記記憶手段に記憶された嗜好データに基づいてユーザの嗜好程度が所定の程度にあると判断される前記カテゴリ中の選択項目に関連付けられている前記画像を前記代表画像として選定する選定手段、及び入力手段により入力される指令に基づき、前記表示手段により表示された選択項目リストからの選択を行う選択手段としてコンピュータを機能させることを特徴とする。
【００１７】
第５の発明に係る楽曲再生方法は、コンピュータが、楽曲データを、楽曲に関する所定のカテゴリにおける各要素に区分可能に記憶するとともに、各楽曲データの楽曲に関連付けられた画像を記憶する記憶工程と、コンピュータが、前記カテゴリ中の各要素を選択項目として、表示装置においてリスト表示し、その際、前記カテゴリの代表画像を同時に表示する表示工程と、コンピュータが、前記カテゴリ中の各選択項目に関するユーザの嗜好の程度を示す嗜好データを取得し、前記記憶手段に記憶する取得工程と、コンピュータが、前記取得工程において取得され、前記記憶工程において記憶された嗜好データに基づいてユーザの嗜好程度が所定の程度にあると判断される前記カテゴリ中の選択項目に関連付けられている前記画像を前記代表画像として選定する選定工程と、コンピュータが、入力手段により入力される指令に基づき、前記表示工程により表示された選択項目リストからの選択を行う選択工程とを具備することを特徴とする。
【発明の効果】
【００１８】
本発明によれば、楽曲に関する所定のカテゴリの各要素を選択項目としてリスト表示する際に、そのカテゴリにおけるユーザの嗜好程度が所定以上である選択項目に関連付けられた画像を代表画像として表示するようにしたため、選択項目リストの表示画面をユーザの嗜好を反映したデザインのものとすることができる。
【００１９】
また、所定のカテゴリが、あるアルバムに含まれる楽曲のカテゴリである場合、そのカテゴリの代表画像として、各楽曲に関連付けられた画像のうち、最もユーザが好む楽曲に関連付けられたものを選定し、楽曲リストとともに表示することができる。したがって、各楽曲毎に、それに関連付けられた画像を表示するのを省略することができる。これにより、同一の画像が繰り返し表示されることによる観た感じの煩わしい印象を排除したり、繰り返し表示される画像による文字情報の視認性の低下を防止したり、楽曲選択のためのカーソル移動や楽曲リストのスクロールが鈍重となるの防止したりすることができる。
【発明を実施するための最良の形態】
【００２０】
図１は、本発明の一実施形態に係る携帯型の楽曲再生装置の構成を示すブロック図である。同図に示すようにこの装置は、装置各部の制御や各種情報の処理を行う制御部１１、制御部１１によってアクセスされるハードディスク１２、制御部１１の制御により各種情報の表示を行う表示部１３、制御部１１に対してユーザが操作入力を行うための入力部１４、制御部１１からの音声信号を音波に変換して出力する音声出力部１５を備える。
【００２１】
ハードディスク１２には、楽曲の再生に用いられる音楽ファイルや、各楽曲に対して関連付けられた画像データが格納される。制御部１１は所定のプログラムに従い、ハードディスク１２中のデータを参照しながら、入力部１４及び表示部１３を用いたユーザインタフェース機能や、該機能を介して指定された楽曲の再生等を行う。
【００２２】
図２は図１の装置の前面を示す。同図において、２１は表示部１３を構成する液晶ディスプレイの画面、２２は入力部１４を構成する操作キー、２３は同様に入力部１４を構成するメニューキー、２４は音声出力部１５を構成するヘッドホンである。操作キー２２は中央に位置する中央キーＭ、上部に位置する上キーＵ、下部に位置する下キーＤ、右側に位置する右キーＲ、及び左側に位置する左キーＬの５つのキーを備える。それぞれタクトスイッチで構成されている。特に上キーＵ及び下キーＤはそれぞれ、軽く押下する軽押し及び強く押下する強押しにより２段階で動作するタクトスイッチで構成されている。つまり、上キーＵ及び下キーＤはそれぞれ、１つのキーで軽押し及び強押しによる２種類の操作入力を行うことができるようになっている。
【００２３】
メニューキー２３は、各種動作モード設定用の選択項目を上下方向に並べて表示したメニュー画面を表示させるために用いることができる。上キーＵ及び下キーＤは、各種メニュー画面における選択項目の選択を行うために用いることができる。再生装置は、上キーＵ又は下キーＤが押下されると、選択中の項目を示すカーソルを、メニューの上方向又は下方向に移動させる。その際、選択項目数が多い場合には、必要に応じて、メニュー表示を上下方向にスクロールさせる。上キーＵ又は下キーＤの押下によるカーソル移動やメニュー表示のスクロールの速度は、軽押しの場合に遅く、強押しの場合に早い。右キーＲは選択中の項目に関連する下位の画面を表示させるために用いることができる。
【００２４】
図３はハードディスク１２に記録されている楽曲を区分する方法の一例を示す。各楽曲の音楽ファイルに付随するアルバム名、アーティスト名、ジャンル名等の情報に基づき、同図のように、各楽曲はアルバム毎に区分することができる。また、各アルバムはアーティスト毎に区分し、各アーティストはジャンル毎に区分することができる。すなわち、ジャンル、アーティスト、アルバム、及び楽曲を各階層のカテゴリとする階層構造を形成することができる。階層構造としては図３の例の他、音楽ファイルに付随するアルバム名、アーティスト名、ジャンル名等の情報を用いて形成し得る種々の形態のものを採用することができる。たとえば、カテゴリ要素として全楽曲が含まれる楽曲カテゴリのみの階層かなる階層構造や、カテゴリ要素として全アーティストが含まれるアーティストカテゴリの階層、及びその下の階層としての各アーティスト毎に区分された楽曲カテゴリの階層からなる階層構造を採用してもよい。
【００２５】
図４は画面２１に表示されたホーム画面を示す。この画面上には「アーティスト」、「アルバム」、「ジャンル」等のカテゴリ名が表示されており、いずれかのカテゴリを選択して右キーＲを押下することにより、そのカテゴリの階層から始めて、図３のような階層構造に従い、所望の階層のカテゴリにおける要素の検索を行うことができるようになっている。
【００２６】
たとえば、図４のホーム画面において「アーティスト」にカーソルが位置付けられ、「アーティスト」が選択された状態において、右キーＲが押下されると、楽曲再生装置は、図３の例に従えば、「アーティストＡ」、「アーティストＢ」・・・を選択項目とするアーティストの一覧画面を表示する。この画面において、上キーＵ及び下キーＤの操作により「アーティストＢ」が選択され、右キーＲが押下されると、アーティストＢに属する「アルバムｂ」及び「アルバムｃ」を選択項目とするアルバムの一覧画面を表示する。この画面においてアルバムｃが上キーＵ及び下キーＤの操作により選択され、右キーＲが押下されると、「楽曲１２」、「楽曲１３」・・・「楽曲ｎ」を選択項目とする楽曲の一覧画面を表示する。この画面においては、上キーＵ及び下キーＤの操作により、表示された楽曲のうちのいずれかを選択することができる。
【００２７】
また、このようにして所望の階層のカテゴリにおける選択要素を検索し、選択することにより、再生範囲や再生開始位置を指定することができるようになっている。たとえばアーティストＢが選択され、中央キーＭが押下された場合には、楽曲再生装置は、設定に応じ、アーティストＢに属する全アルバムの全楽曲を再生し、又はアーティストＢに属する最初のアルバムｂの楽曲６から再生を開始する。
【００２８】
図５は図３の例におけるアーティストＢが選択され、右キーＲが押下された場合に、画面２１上に表示されるアルバムの一覧画面、すなわちアルバム選択用のメニュー画面を示す。同図に示すように、このメニュー画面には、上部において、アーティストＢに属するアルバムの代表画像５１、並びにアーティストＢに関する文字情報５２が表示される。文字情報５２としては、アーティストＢのアーティスト名「アーティストＢ」及びアーティストＢに属するアルバムの数「２アルバム」が表示されている。代表画像５１としては、アーティストＢに属するアルバムｂ及びアルバムｃのうち、それらに属する楽曲の再生回数が多い方に関連付けられたアルバムジャケット画像が採用される。
【００２９】
この表示の下の一覧表示領域５３においては、選択項目としてのアルバムの一覧が表示されている。アルバム一覧として、同図においては、アーティストＢに属するアルバムｂ及びアルバムｃに関する情報が表示されている。この画面の初期状態においては、カーソル５４が一覧表示領域５３の最上部に位置しており、これにより該最上部においてアルバム名等が表示されているアルバムｂが選択された状態となっている。選択中のアルバムｂについては文字情報として、アルバム名「アルバムｂ」、アーティスト名「アーティストＢ」、収録曲数「６曲」及び総再生時間「４０：２７」が表示されている。選択されていないアルバムｃについては、アルバム名「アルバムｃ」のみが表示されている。
【００３０】
図６は図５のメニュー画面において、下キーＤによりアルバムｃが選択され、右キーＲが押下されることにより画面２１上に表示される楽曲選択用のメニュー画面を示す。この画面では、上部において、アルバムｃに属する各楽曲の代表画像６１、並びにアルバムｃに関する文字情報６２が表示される。文字情報６２としては、アルバムｃのアルバム名「アルバムｃ」、アーティスト名「アーティストＢ」、楽曲数「１５曲」、及び総再生時間「５０：４３」が表示されている。代表画像６１としては、アルバムｃに属する楽曲１２〜２６のうち、再生回数が最も多い楽曲に関連付けられたアルバムジャケット画像が採用される。
【００３１】
一覧表示領域５３では、アルバムｃに属する楽曲１６〜２６が選択項目としてリスト表示される。ただし、図６では、画面２１の大きさの関係で、楽曲１２〜１６のみの情報が初期状態として表示されている。初期状態において最上部に位置するカーソル５４が下キーＤにより一覧表示領域５３における下端の項目の１つ手前の項目位置に移動され、さらに下キーＤの押下がなされると、一覧表示領域５３に表示されている楽曲一覧が下方にスクロールし、順次、楽曲１７、楽曲１８・・・の順でそれらについての選択項目の表示が現れ、選択がなされてゆくことになる。なお、スクロール中のカーソル５４の位置としては、上記下端項目の１つ手前の項目位置に限らず、たとえば、一覧表示領域５３の中間の位置を採用するようにしてもよい。
【００３２】
図１０は図４のホーム画面において、「アーティスト」が選択され、右キーＲが押下されることにより画面２１上に表示されるアーティスト選択用のメニュー画面を示す。この画面では、上部において、アーティストのジャンルにおける代表画像１０１、及び文字情報１０２が表示される。文字情報１０２としては、アーティストの一覧であることを示す「アーティスト」、及びアーティストの数を示す「７名」が表示されている。代表画像１０１としては、一覧表示領域５３において選択項目として表示される各アーティストのうち、ユーザによる嗜好程度が最も高いアーティストに関連付けられている画像が採用される。
【００３３】
この場合、一覧表示領域５３では、ジャンル等の限定はなく、ハードディスク１２に記憶されているすべてのアーティストが選択項目としてリスト表示される。また、各選択項目における表示内容としては、各アーティストのアーティスト名「アーティストＡ」、「アーティストＢ」・・・等の文字情報の他、各アーティストに関連付けられている画像１０３、１０４・・・の表示がサムネイルとして付け加えられる。各アーティストに関連付けられている画像としてはそのアーティストに属するアルバムのうち、ユーザによる嗜好程度が最も高いものに関連付けられている画像を採用することができる。このメニュー画面において、たとえば「アーティストＢ」が選択され、右キーＲが押下されると、図５のアルバム選択用のメニュー画面が表示されることになる。
【００３４】
図７は制御部１１による嗜好データ取得処理を示すフローチャートである。この処理は楽曲、アルバム、アーティスト及びジャンルの各カテゴリについて、ユーザの嗜好の程度を示す嗜好データを取得するための処理である。具体的には、嗜好データとして、各カテゴリの要素毎に、その要素に属する楽曲についての再生回数のカウント値を取得するようにしている。この処理は、楽曲が再生される毎に行われる。
【００３５】
すなわち、処理を開始すると、制御部１１は、まずステップ７１において、再生された楽曲について、その再生回数のカウント値をカウントアップする。次に、ステップ７２において、再生された楽曲が属するアルバムについて、その再生回数のカウント値をカウントアップする。さらに、ステップ７３において、再生された楽曲が属するアーティストについて、その再生回数のカウント値をカウントアップする。そして、ステップ７４において、再生された楽曲が属するジャンルについて、その再生回数のカウント値をカウントアップする。この後、図７の処理を終了する。
【００３６】
これにより、たとえば図３の例の場合、再生された楽曲が楽曲５であれば、楽曲５、アルバムａ、アーティストＡ，及びジャンルαのそれぞれについて設定された再生回数のカウント値がカウントアップされる。再生された楽曲が楽曲１２であれば、楽曲１２、アルバムｃ、アーティストＢ、ジャンルαのそれぞれについて設定された再生回数のカウント値がカウントアップされることになる。
【００３７】
このようにして得られる各カテゴリ要素毎のカウント値は、その要素についてのユーザの嗜好の程度を表すデータとして用いられる。
【００３８】
図８は制御部１１による代表画像選定処理を示すフローチャートである。この処理は、各カテゴリに関するカテゴリ要素についての選択メニュー画面において表示される代表画像、すなわち図５の例における代表画像５１や図６の例における代表画像６１を選定するために行われる。この処理は、図４の画面２１上に表示されたホーム画面における各カテゴリ、又は図３に例示される楽曲以外のいずれかのカテゴリ要素が選択され、右キーＲが押下されたときに行われる。つまり、いずれかのカテゴリ要素について、図５や図６に示されるような選択メニューを表示する際に行われる。
【００３９】
処理を開始すると、制御部１１はまず、ステップ８１において、対象とするカテゴリにおけるカウント値が最大であるカテゴリ要素を抽出する。このカウント値は図７の処理により取得したものである。
【００４０】
次に、ステップ８２において、抽出したカテゴリ要素に関連付けられているアルバムジャケット画像を代表画像として選定する。この後、図８の処理を終了する。選定された代表画像は、対象とするカテゴリにおけるカテゴリ要素の選択メニューにおいて、代表画面として用いられる。
【００４１】
たとえば図５の例では、アーティストＢに属するアルバムカテゴリを対象として、そのカテゴリ要素であるアルバムｂ及びアルバムｃのうち、カウント値が大きい方が抽出される。そして抽出されたアルバムｂ又はアルバムｃに関連付けられているアルバムジャケット画像が代表画像として選定され、画像５１として表示されることになる。また、図６の例では、アルバムｃに属する楽曲カテゴリを対象として、そのカテゴリ要素である楽曲１２〜楽曲２６のうち、カウント値が最大のものが抽出され、それに関連付けられているアルバムジャケット画像が画像６１として表示されることになる。
【００４２】
本実施形態によれば、楽曲に関する所定のカテゴリの各要素を選択項目としてリスト表示する際に、所属する楽曲の再生回数が最大である選択項目に関連付けられたアルバムジャケット画像を代表画像として表示するようにしたため、選択項目リストの表示画面を、ユーザの嗜好程度が高い選択項目に関連付けられたアルバムジャケット画像を取り入れたデザインのものとすることができる。
【００４３】
また、所定のカテゴリが、あるアルバムに含まれる楽曲のカテゴリである場合、そのカテゴリの代表画像として、各楽曲に関連付けられたアルバムジャケット画像のうち、最もユーザが好む楽曲に関連付けられたものを選定し、楽曲リストとともに表示することができる。したがって、図９のように、各楽曲毎に、それに関連付けられたアルバムジャケット画像を表示するのを省略し、図６に示すような代表画像６１のみを表示したメニュー画面とすることができる。これにより、同一のジャケット画像が繰り返し表示されることによる観た感じの煩わしい印象を排除し、繰り返し表示されるジャケット画像による文字情報の視認性の低下を防止し、楽曲選択のためのカーソル移動や楽曲リストのスクロールが鈍重となるの防止することができる。
【００４４】
なお、本発明は上述の実施形態に限定されることなく適宜変形して実施することができる。たとえば、上述においては、音楽ファイルや関連図形を格納するためにハードディスクを用いているが、この代わりに半導体メモリを用いるようにしてもよい。
【００４５】
また上述においては、各選択項目に関するユーザの嗜好の程度を示す嗜好データを取得するために、各選択項目に係る楽曲の再生回数をカウントするようにしているが、この代わりに、各カテゴリの各選択項目についてのユーザによる嗜好の程度を示すデータの入力を受け入れる手段を設け、このデータに基づいて、嗜好データを取得するようにしてもよい。
【００４６】
また、上述においては、各カテゴリ要素についてのユーザの嗜好の程度を表すデータとして、カテゴリ要素毎に、それに属する各楽曲の再生回数を集計した値を用いるようにしているが、この代わりに、カテゴリ要素毎に、それに属する各楽曲のうち最も再生回数が多い楽曲の再生回数を用いるようにしてもよい。すなわち、楽曲の再生が行われる毎に、再生される楽曲についての再生回数のカウント値のみをカウントアップしておき、再生回数が最も多い楽曲を含むアルバム、アーティスト又はジャンルを最も嗜好程度が高いものであると評価するようにしてもよい。
【００４７】
これによれば、たとえば、図３の例において、楽曲１〜５のうち楽曲１の再生回数が最も多くて１０回、楽曲６〜１１のうち楽曲６の再生回数が最も多くて２０回、そして楽曲１２〜２６のうち楽曲１２の再生回数が最も多くて３０回であるとすれば、アルバムａ、アルバムｂ、及びアルバムｃそれぞれについての楽曲選択用のメニュー画面においては、それぞれ楽曲１、楽曲６、及び楽曲１２に関連付けられている画像が代表画像とされる。アーティストＢについてのアルバム選択用のメニュー画面においては、アルバムｃに関連付けられている画像が代表画像とされる。このとき、アルバムｃに関連付けられている画像として、アルバムｃのうちで再生回数が最も多い楽曲１２に関連付けられている画像を採用してもよい。ジャンルαについてのアーティスト選択用のメニュー画面においては、アーティストＢに関連付けられている画像が代表画像とされる。このとき、アーティストＢに関連付けられている画像として、アーティストＢに属する最も嗜好程度の高いアルバムｃに関連付けられている画像（たとえば楽曲１２に関連付けられている画像）を採用しもよい。
【００４８】
なお、再生される楽曲についての再生回数のカウント値のみをカウントアップする場合でも、各アルバム等についての嗜好程度の評価に際し、アルバム毎に、そのアルバムに含まれる各楽曲の再生回数の総和を求めることにより、そのアルバムについての上述ステップ７２においてカウントアップされたカウント値と同一の値を取得し、嗜好程度を示すデータとして用いることができる。
【図面の簡単な説明】
【００４９】
【図１】本発明の一実施形態に係る携帯型の楽曲再生装置の構成を示すブロック図である。
【図２】図１の装置の前面を示す図である。
【図３】図１の装置のハードディスクに記録されている楽曲を区分する方法の一例を示す図である。
【図４】図１の装置におけるホーム画面を示す図である。
【図５】図３の例におけるアーティストＢが選択され、右キーＲが押下された場合に表示されるアルバム選択用のメニュー画面を示す図である。
【図６】図５のメニュー画面において、下キーＤによりアルバムｃが選択され、右キーＲが押下されることにより表示される楽曲選択用のメニュー画面を示す。
【図７】図１の装置における制御部による嗜好データ取得処理を示すフローチャートである。
【図８】図１の装置における代表画像選定処理を示すフローチャートである。
【図９】従来の楽曲再生装置における１つのアルバムに含まれる楽曲のリストを表示した画面を示す図である。
【図１０】図１の装置におけるアーティスト選択用のメニュー画面の一例を示す図である。
【符号の説明】
【００５０】
１１：制御部、１２：ハードディスク、１３：表示部、１４：入力部、１５：音声出力部、２１：画面、２２：操作キー、２３：メニューキー、２４：ヘッドホン、Ｍ：中央キー、Ｒ：右キー、Ｌ：左キー、Ｕ：上キー、Ｄ：下キー、５１：代表画像、５２：文字情報、５３：一覧表示領域、６１：代表画像、６２：文字情報、８０：表示画面、８１：アルバム表示欄、８２：表示欄、８２ａ：拡大された表示欄、８３：画像、１０１：代表画像、１０２：文字情報、１０３，１０４：画像。
【図１】
2008071418.tif 000003
【図２】
2008071418.tif 000004
【図３】
2008071418.tif 000005
【図４】
2008071418.tif 000006
【図５】
2008071418.tif 000007
【図６】
2008071418.tif 000008
【図７】
2008071418.tif 000009
【図８】
2008071418.tif 000010
【図９】
2008071418.tif 000011
【図１０】
2008071418.tif 000012